【事件の表示】
　上記当事者間の登録第３２０６７３８号商標の商標登録無効審判事件について、次のとおり審決する。
【結　論】
　登録第３２０６７３８号商標の指定商品中「測定機械器具」についての登録を無効とする。
　その余の指定商品についての審判請求は成り立たない。
　審判費用は、被請求人の負担とする。
【理　由】
１　本件商標
　本件登録第３２０６７３８号商標（以下「本件商標」という。）は、「ヒマンスイデンジ」の片仮名文字を横書きしてなり、平成５年６月１７日登録出願、第９類「測定機械器具、電気通信機械器具」を指定商品として、同８年１０月３１日に設定登録されたものである。
　
２　請求人の主張
　　請求人は、本件商標の登録はこれを無効とする、審判費用は被請求人の負担とする、との審決を求め、その理由を概略次のように述べ、証拠方法として甲第１号証乃至同第８号証を提出している。
　
 （１）本件商標と指定商品との関係について
　本件商標は、カタカナ文字の「ヒマンスイデンジ」より成るところ、その指定商品中「電磁流量計」との関係で識別力を欠くものである。
　「電磁流量計」とは、配管内の流量をファラデーの電磁誘導の法則を応用して測定するものであるが、いままでの電磁流量計では、配管内が満水にして水位が変化しない条件でしか測定できなかった。
　しかし、最近では、水位が様々に変化する非満水状態でも流量を正確に測定できる電磁流量計が実用化されるようになった。このことから、従来の「満水」状態でのみ測定可能であった電磁流量計に対し、「非満水」状態でも測定可能となった最近の電磁流量計とを区別して称呼する必要性が生じ、必然的に生じた称呼が「非満水電磁流量計／ヒマンスイデンジリュウリョウケイ」あるいは「非満水用電磁流量計／ヒマンスイヨウデンジリュウリョウケイ」である。
　
 （２）「非満水電磁／ヒマンスイデンジ」の顕著性について
　以上（１）に述べたように、「満水」、「非満水」の語は、電磁流量計の機能の説明に関連して本件商標が出願（平成５年６月１７日）される以前から業界にて一般に用いられてきた用語であり、また「非満水電磁流量計」そのものも、「非満水」状態での水量を測定できる「電磁流量計」を指すものとして、本件商標の登録（査定）時以前より業界内で認識され、使用されてきた語であることが分かる（甲第５号証）。ただ、「非満水電磁流量計」の実用化が難しかったため、市場に出回っていた商品の殆どが「満水」状態における「電磁流量計」だったという事情があるに過ぎない。
　しかし、今後、より高い実効機能性を備えた「非満水」状態での電磁流量計が出現してくれば、いずれも、従来タイプとの比較上「非満水電磁流量計」として認識され、取引上も用いられることは明らかである。甲第３号証、同第４号証等はその代表的使用例を示すものである。
　
 （３）商標法第３条第１項第３号違反について
　本件商標は「ヒマンスイデンジ」のカタカナから成るものであるが、これは本来「非満水電磁流量計」として一体として称呼されるべき商品名から「流量計」の部分のみを故意に削除し、残りの部分をカタカナ表示したものに過ぎない。しかし、上述したように「電磁流量計」の分野においては「満水」、「非満水」の語は、電磁流量計の機能との関係で用いられてきた業界用語であるから「ヒマンスイデンジ」と言えば「流量計」に直結する言葉としてしか認識できないものである。
　特に、本件物品は大衆物品とは異なり、専門業者間でのみ取引される物品であり、かかる物品の取引者、需要者にとって「ヒマンスイデンジ」と言えば直ちに「非満水電磁流量計」を指すものとしてしか認識し得ないものである。
　よって、本件商標は、商標法第３条第１項第３号に違反して登録されたものである。
　
 （４）商標法第４条第１項第１６号違反について
　（３）で述べたように、電磁流量計の分野において「非満水電磁／ヒマンスイデンジ」と言えば取引者、需要者にとって直ちに「非満水電磁流量計」を想定するものであってそれ以外に想定するものはなく、これをカタカナで表示したところでその意味するところは同じであり、何ら造語を構成するものでもない。むしろ、かかる商標が上記以外の「測定機械器具」やその他の商品に使用されるとすれば取引者、需要者をして「非満水電磁流量計」との関係において、誤認を生じさせることは極めて明白である。
　したがって、本件商標は商標法第４条第１項第１６号にも該当する。
　
３　被請求人の答弁
　被請求人は、本件審判の請求は成り立たない、審判費用は請求人の負担とする、との審決を求めると答弁し、その理由を概略次のように述べている。
　
 （１）本件商標と指定商品との関係について
　請求人も述べているように、従前においては満水でない状態で計測できる電磁流量計は存在しなかった。そこで、被請求人がこのような電磁流量計を開発し、最初に実用化するとともに、被請求人の製造する流量計に対する「ヒマンスイデンジ」なる商標を出願し、権利化したもので、「ヒマンスイデンジ」の商標は、業界で使用されていなかった商品について被請求人が将来使用する商品に付するために、被請求人が独自に考えた造語である。
　したがって、請求人が「必然的に生じた称呼」であると主張することは失当である。
　また、請求人は、甲第３号証及び同第４号証を掲げて、「もともと業界にて非満水電磁流量計の語が使用されていた」と主張するが、甲第４号証は被請求人の本件商標と類似する漢字の「非満水電磁」の商標を被請求人が使用したものであり、また、甲第３号証は請求人が本件商標の称呼を漢字にするとともにこれに「用」を付して後発的に使用したものであり、更に、この流量計のメーカーが被請求人と請求人しかないこの業界において、請求人自らが「非満水電磁流量計」の用語を使用していないのに、業界にて「非満水電磁流量計」の語が使用されていたと主張することは矛盾し、その主張は失当である。
　
 （２）請求人は、なお書きで、甲第５号証に「非満水電磁流量計」の語が記載されているため「非満水電磁流量計」の製造業者がこれを「非満水電磁流量計／ヒマンスイデンジリュウリョウケイ」と称呼するのは自然的必然性に基づくものであると主張するが、この「非満水電磁流量計」の語は説明上、被請求人の商標である「ヒマンスイデンジ」の称呼を漢字にした語を使用したものであり、これをもって、業界での一般用語とするのは過言で失当である。すなわち、甲第５号証の計装エンジニアのための「流量計測ＡｔｏＺ」の編集には被請求人も積極的に関与、協力し、技術資料も積極的に開示したことから、このように甲第５号証に記載されたものである。
　よって、甲第５号証については、前記の通りであるため、有効な資料とはなり得ない。甲第６号証においては、本件商標である「ヒマンスイデンジ」又は「非満水電磁」の語は記載（使用）されておらず、このことから、本件商標登録出願時において、「ヒマンスイデンジ」又は「非満水電磁」は造語であることが明白である。同様に、甲第７号証及び同第８号証によって、造語であることがより明白である。
　
 （３）「非満水電磁／ヒマンスイデンジ」の顕著性について
　請求人は、『「非満水電磁流量計」そのものも、「非満水」状態での水量を測定できる「電磁流量計」を指すものとして、本件商標の登録（査定）時以前より業界で認識され、使用されてきた語であることが分かる』と主張するが、甲第３号証乃至同第５号証が前記のような記載、特に請求人自身のカタログである甲第３号証において「用」を用いて記載していることから、「非満水電磁流量計」の語そのものが業界内で認識され、使用されていたとは言えず、また、将来的使用を述べているが、請求人の主張は失当である。
　
 （４）商標法第３条第１項第３号違反について
　請求人は、本件商標「ヒマンスイデンジ」と言えば直ちに「非満水電磁流量計」を指すものとしてしか認識できないと主張しているが、「非満水電磁流量計」の語は被請求人が甲第４号証で使用した語であり、この語が前記のように一般名称ではないことから、本件商標と「非満水電磁流量計」の語を対比することは失当である。また、本件商標が流量計以外の他の商品に全く使用できない事由はない。
　したがって、本件商標は商標法第３条第１項第３号に違反しないものである。
　
 （５）商標法第４条第１項第１６号違反について
　請求人は「ヒマンスイデンジ」が測定機械器具やその他の商品について使用されると誤認を生じさせると主張するが、本件商標は「ヒマンスイデンジ」であり「流量計」「リュウリョウケイ」の語は付されていない。したがって、この本件商標を流量計以外の測定機械器具やその他の商品に使用されても、流量計と何ら誤認を生じさせるものではなく、また、誤認を生じた根拠もない。
　したがって、本件商標は商環法第４条第１頃第１６号に該当しないものである。
　
 （６）商標登録適格性を有する商標
　請求人は、本件商標は何ら造語を構成するものではないと主張するが、前記に説明したように被請求人は、市場になかった商品に対し、これを販売する前に「ヒマンスイデンジ」なる商標を考えて出願したものであり、造語である。これは、本件商標登録出願前に発行された甲第５号証乃至同第８号証に「ヒマンスイデンジ」、「非満水電磁」のみの用語が使用されていないことからも明白である。
　また、請求人は、「登録（査定）時以前から商品の一般名称として認識されていた用語を不自然な形で分離し」と主張する。この用語とは、何か請求人は明らかにしていないが、仮に「非満水電磁流量計」の語とするならば、その主張は失当である。なぜならば、被請求人の発行である甲第４号証の表紙には、「非満水電磁流量計」と記載されているのに対し、請求人の発行である甲第３号証の表紙及び裏表紙には「非満水用電磁流量計」と「用」を付して記載され、また、前記のようにこの流量計のメーカーが被請求人と請求人しかないこの業界において、請求人自らが「非満水電磁流量計」の用語を使用していないのに、「非満水電磁流量計」の語が業界において一般名称であると主張するのは矛盾し、その主張は失当である。
　したがって、本件商標は、商標法本来の保護目的から外れたものではない。
　
４　当審の判断
　本件商標は、前記したとおり「ヒマンスイデンジ」の片仮名文字を書してなるものである。そして、請求人の提出にかかる書証において、以下の記述を認めることができる。
　
 （１）「流体工学（１９７６（昭和５１）年１月１日発行）」（甲第６号証）には、「Ｐ−Ｂフローメータの下水流量測定の応用」の題目のもと「・・・・下水のように主として円形管路を非満水の状態で流れ，・・・・前例がほとんどなく難しいとされてきた。そこで、このような円形管路に非満水の状態で流れる汚水を連続的に流量測定する目的で，パーマーボーラスフリューム（以下Ｐ−Ｂフリュームと呼ぶ）と超音波レベル形を組合せた新しい方式の流量計（以下Ｐ−Ｂフローメータと呼ぶ）の研究に着手し，ここにその開発に成功した。」との記載、Ｐ−Ｂフローメータの構成と測定原理の項には、「ヒューム管などの円形管路の中を非満水で流れている汚水流量を連続測定する流量計である。」旨、記載されている。
　
 （２）「計装８月号（昭和５１年８月１日発行）」（甲第７号証）には、「プロセスに適した排水流量測定システムの選択（上）」の題目のもと、「表１測定条件と流量計」には、フリューム式及びせき式は，非満水の流れの状態を測定し，電磁式には，満水の流れの状態を測定する電磁流量計と非満水及び満水の状態で測定する電磁流速計が掲載されている。
　
 （３）「計装１０月号（昭和５１年１０月１日発行）」（甲第８号証）には、「プロセスに適した排水流量測定システムの選択（下）」の題目のもと、「４．１電磁流量計」の項目には「・・・・工業排水用として最適である。また，流れの障害になるようなものがないので，圧損を考慮しないですむなど，管路設置上の制約も外の流量計に比べて少ない。ただし，パイプ内が満水でないときは大きな誤差が発生するので，この点注意が必要である。」との記載、「４．３電磁流速計／渦流速計」の項目には「・・・・十分長い直管部を有する管路では，管路内の１点の流速を測定することにより流量を知ることができる。」旨、記載されている。
　
 （４）「流量計測ＡｔｏＺ（平成７年１１月１日初版）」（甲第５号証）には、第９章電磁流量計とする「９．３機種別解説」の項に、測定方法の違いによる分類として「満水形」、「非満水形」と分類されていること、「９．６今後の展望／（６）非満水電磁流量計」の項には、「非満水状態の水路を流れる流量を直接電磁流量計で計測できる流量計が近年発表された。」旨、記載されている。
　
　以上の（１）ないし（４）の各点よりして、本件商標の指定商品中の測定機械器具に属する商品として、管路を流れる流体の流量を遠隔で測定する流量計の一として電磁流量計が存するところであって、従前において満水でない状態で計測できる流量計は難しいとされていたことは、上記（１）の記載に徴し窺えるところである。しかしながら、（１）及び（２）の記載より、Ｐ−ＢフリュームとＰ−Ｂフローメータの研究に着手し、非満水で流れている汚水流量を連続測定する流量計の開発に成功したことが認められることより、非満水の状態で測定する流量計が存していたことと、非満水あるいは満水の状態で測定する方式には電磁式が存していたことが認められる。
　また、電磁流速計によって、管路内の１点の流速を測定することにより流量を知ることができることも認められる。
　さらに、平成７年１１月１日初版の甲第５号証は、社団法人日本計量機器工業連合会が著者であって、当業者間に頒布されているといえるから、電磁流量計は、機種別に分類すると満水形と非満水形が存することについて、広く知られているというのが相当である。
　そうすると、被請求人は、「業界で使用されていなかった商品について独自に考えた造語である」旨、主張しているが、当業者間において、本件商標の出願時以前より、非満水の状態で測定する流量計が存し、登録査定時以前より、非満水形の電磁流量計が存していたことが知られていたといわざるを得ないものである。
　してみれば、「ヒマンスイデンジ」の文字を書してなる本件商標をその指定商品中「流量計」について使用した場合、該商標に接する取引者、需要者は、前記の事情からして、これを単なる造語からなる商標として認識するよりも、むしろ、「非満水電磁」の語を片仮名書きし表示したもので、商品「流量計」の機能、機構等の品質を容易に認識するものというのが相当である。
　したがって、本件商標の指定商品中、「非満水電磁流量計」に使用した場合には、これに接する取引者、需要者は、該商品を認識し、商品の品質を表示したものと理解するに止まり、自他商品の識別標識とは認識し得ないものといわなければならない。また、これを前記以外の測定機械器具について使用するときは、商品の品質について誤認を生じさせるおそれがあるものと認められる。
　以上のとおり、本件商標は、その指定商品中「測定機械器具」については、商標法第３条第１項第３号及び同第４条第１項第１６号に違反して登録されたものであるから、同法第４６条第１項第１号により、その登録を無効とすべきものである。
　しかしながら、本件商標は、測定機械器具以外の指定商品については、自他商品の識別標識としての機能を果たし得るものと認められるから、その登録を無効とすることはできない。
　よって、結論のとおり審決する。